(57)【特許請求の範囲】
【請求項１】
造花を脱着自在に取り付けできるリボンを備えた遺影写真用額縁をそのガラス面が上面を向くように箱体に収納し、遺影写真用額縁のガラス面に保護シートを剥離可能に貼着し、保護シートの上面に造花を脱着自在に係止する係止部を設け、同係止部に造花を仮止めし、保護シートの上面に仕切板を造花と接触しないように配置して複数の部屋に区画し、造花の有しない各部屋に写真と遺影写真用額縁を立設するスタンドを別々に収納し、箱体に蓋体を被せた構造を特徴とする、遺影写真用額縁の箱体収納構造。
【請求項２】
蓋体の裏面に写真を収納するポケットを設けた、請求項１記載の遺影写真用額縁の箱体収納構造。
【請求項３】
箱体の底面に指が入る径の開口を形成した、請求項１又は２記載の遺影写真用額縁の箱体収納構造。
【発明の詳細な説明】
【技術分野】
【０００１】
本発明は、遺影写真用額縁の箱体収納構造に関する。
【背景技術】
【０００２】
従来、遺影写真用額縁（例えば特許文献１〜４参照）は、使用時以外は一般的に段ボール等の箱体に収納して運搬・保管・陳列が成される。遺影写真用額縁の使用時に用いられる立設用のスタンドは遺影写真用額縁の箱体には収納されず別途用意され、遺影用の元写真やその故人に関連するスナップ写真等は遺影写真用額縁とは別に保管されている。このように、遺影写真用額縁に関連する物の管理がやや煩雑となっている。
【特許文献１】実用新案登録第３０１４２２８号公報
【特許文献２】実用新案登録第３０８００７１号公報
【特許文献３】実用新案登録第３１０１３１０号公報
【特許文献４】実用新案登録第３１１６２４４号公報
【発明の開示】
【発明が解決しようとする課題】
【０００３】
本発明が解決しようとする課題は、従来のこれらの問題点を解消し、遺影写真用額縁とそれに関連する物品を１体の箱体に効率良く収納して管理の煩雑さを解消できる遺影写真用額縁の箱体収納構造を提供することにある。
【課題を解決するための手段】
【０００４】
かかる課題を解決した本発明の構成は、
１）  造花を脱着自在に取り付けできるリボンを備えた遺影写真用額縁をそのガラス面が上面を向くように箱体に収納し、遺影写真用額縁のガラス面に保護シートを剥離可能に貼着し、保護シートの上面に造花を脱着自在に係止する係止部を設け、同係止部に造花を仮止めし、保護シートの上面に仕切板を造花と接触しないように配置して複数の部屋に区画し、造花の有しない各部屋に写真と遺影写真用額縁を立設するスタンドを別々に収納し、箱体に蓋体を被せた構造を特徴とする、遺影写真用額縁の箱体収納構造
２）  蓋体の裏面に写真を収納するポケットを設けた、前記１）記載の遺影写真用額縁の箱体収納構造
３）  箱体の底面に指が入る径の開口を形成した、前記１）又は２）記載の遺影写真用額縁の箱体収納構造
にある。
【発明の効果】
【０００５】
本発明によれば、遺影写真用額縁とそれに関連する物品が１体の箱体に効率良く収納されて管理の煩雑さを解消でき、また、取り出しや陳列も容易である。
【発明を実施するための最良の形態】
【０００６】
本発明では、蓋体の裏面にポケットを設けると、故人に関連する他の写真等を同時に収納して管理できる。また、箱体の底面に指が入る径の開口を形成すると、その開口に指を入れて収納されている遺影写真用額縁を押し出すことで容易に取り出すことができる。以下、本発明の実施例を図面に基づいて具体的に説明する。
【実施例１】
【０００７】
図１は実施例の遺影写真用額縁の収納状態を示す説明図、図２は図１のＡ−Ａ断面図、図３は実施例の蓋体の裏面を示す説明図、図４，５は実施例の遺影写真用額縁の使用状態を示す説明図である。
【０００８】
図中、１０は遺影写真用額縁、１１は額、１２はガラス、２０はリボン、２１は造花、３０はスタンド、４０は写真、５０は箱体、５１は開口、５２は仕切板、５３は押さえ、６０は蓋体、６１はポケット、６２は名札、７０は保護シート、７０ａは面ファスナーである。
【０００９】
図１〜３に示すように、遺影写真用額縁１０は上下左右の額１１とガラス１２と背板（図示せず）とで組み立てられ、内部に遺影用の写真を収容できるように構成されている。上部にはリボン２０が正面から背面へ斜めに装飾され、リボン２０の正面側中央部には面ファスナー（図示せず）が取り付けられ、造花２１が脱着自在に取り付けできるようにしている。スタンド３０は遺影写真用額縁１０の下側の額１１に掛止して使用される。
【００１０】
箱体５０は、遺影写真用額縁１０が収納できる寸法で、深さは遺影写真用額縁１０の厚みのおよそ倍に形成されている。底面には指が入る径の開口５１を形成し、その開口５１に指を入れて遺影写真用額縁１０を押し出すことで容易に取り出せるようにしている。仕切板５２は外側を囲む部分と空間を３箇所の部屋に区画する部分とで構成され、各仕切板５２との間及び各部屋に収納したものが動かないように充填するための発泡スチロール樹脂製の押さえ５３を備えている。
【００１１】
蓋体６０は裏面の隅部に写真４０を数枚収納できるポリプロピレン製のポケット６１が取り付けられ、側面には故人の名札６２が取り付けられている。保護シート７０は遺影写真用額縁１０のガラス１２と略同寸法に形成され、上面に造花２１を脱着自在に仮止めできる面ファスナー７０ａが取り付けられている。
【００１２】
本実施例では、箱体５０に遺影写真用額縁１０をガラス１２が上面を向くようにして収納し、ガラス１２に保護シート７０を剥離可能に貼着し、保護シート７０の面ファスナー７０ａに造花２１を仮止めし、保護シート７０の上面に仕切板５２を３箇所の部屋に区画するように配置し、造花２１を有しない各部屋に写真４０やスタンド３０を収納して押さえ５３で固定し、蓋体６０で封止して保管・運搬を行う。陳列する場合は、蓋体６０を外して箱体５０の外側に重ね合わせ、箱体５０の内容が表れるようにして陳列される。
【００１３】
葬儀や仏壇等に使用する場合は、図４，５に示すように箱体５０から写真４０・スタンド３０・仕切板５２・押さえ５３を取り出し、箱体５０の底面の開口５１に指を入れて遺影写真用額縁１０を押し出すようにして取り出し、ガラス１２から保護シート７０を剥離し、保護シート７０から取り外した造花２１を遺影写真用額縁１０のリボン２０の中央部に取り付け、スタンド３０で遺影写真用額縁１０を立設する。図５はリボン２０の取り付けパターンの他の例を示している。
【産業上の利用可能性】
【００１４】
本発明の技術は、遺影写真用額縁の他、一般的な写真・絵画用の額縁にも応用できる。
【図面の簡単な説明】
【００１５】
【図１】実施例の遺影写真用額縁の収納状態を示す説明図である。
【図２】図１のＡ−Ａ断面図である。
【図３】実施例の蓋体の裏面を示す説明図である。
【図４】実施例の遺影写真用額縁の使用状態を示す説明図である。
【図５】実施例の遺影写真用額縁の使用状態を示す説明図である。
【符号の説明】
【００１６】
１０  遺影写真用額縁
１１  額
１２  ガラス
２０  リボン
２１  造花
３０  スタンド
４０  写真
５０  箱体
５１  開口
５２  仕切板
５３  押さえ
６０  蓋体
６１  ポケット
６２  名札
７０  保護シート
７０ａ  面ファスナー
【図１】
0004997055.tif 000002
【図２】
0004997055.tif 000003
【図３】
0004997055.tif 000004
【図４】
0004997055.tif 000005
【図５】
0004997055.tif 000006